(57)【特許請求の範囲】
【請求項１】
ベース上に立設されたポストと、前記ポストの上端部において軸支されてシーソー運動するシ−ソーアームと、前記シーソーアームの一半部上に設置されるバランスウエイトを駆動するための直動シリンダーである駆動用シリンダーと、前記シーソーアームの他半部上に敷設されるレールと、前記レール上に配置されて前記バランスウエイト駆動手段によって前記レール上を進退駆動されるバランスウエイトと、前記シーソーアームの前記駆動用シリンダー設置側端部に軸支される吊持手段とから成り、
前記ポストは、上部に前記シーソーアームの回動端を規制する左右一対のストッパーを備え、
更に前記シーソーアームの前記レール敷設側端部に、前記駆動用シリンダーよりも大径で高出力の受けシリンダーが配設され、前記受シリンダーは前記駆動用シリンダーによって押送されて前記レール上を移動してくる前記バランスウエイトを受け、前記受シリンダーが縮動作をすることにより前記バランスウエイトが前記駆動用シリンダーによって更に押送されて前記シーソーアームの重量バランスの支点を越えることにより、前記吊持手段によるワークの吊り上げが可能となることを特徴とする重量ワーク吊持装置。
【請求項２】
前記吊持手段は、上端が前記シーソーアームの前記駆動用シリンダー設置側端部に軸支され、下端に吊持用フックが備え付けられた吊持アームを備えて成る、請求項１に記載の重量ワーク吊持装置。
【請求項３】
前記ベースは移動可能にされる、請求項１又は２に記載の重量ワーク吊持装置。
【請求項４】
前記ポストは、回動可能にされる請求項１乃至３のいずれかに記載の重量ワーク吊持装置。
【発明の詳細な説明】
【技術分野】
【０００１】
本発明は、重量ワーク吊持装置、より詳細には、例えば、２５〜３０ｋｇ程度の金属製製品や金属製部品（以下ワークという）の加工中に、当該ワークを一時的に吊り上げて保持したり、移動させたりする場合に用いる構造簡易な重量ワーク吊持装置に関するものである。
【背景技術】
【０００２】
上記ワークの加工過程、あるいは、修理や洗浄等の過程において、当該ワークを一時的に吊り上げて保持したり、移動させたりすることがある。その作業は、ワークが軽量であれば人手によって行うことに問題はないが、例えば２５〜３０ｋｇ、あるいは、それ以上の重量物である場合には、その作業を人手によって行うことは困難で、何らかの機械的手段によらなければならない。
【０００３】
そのための機械的手段としてクレーンが考えられるが、一般にクレーンは大掛かりなものであって、設置に大きなスペースが必要となり、また、設備コストもかかるため、スペースの少ない小工場において設置するのに適さない。
【０００４】
かくして、例えば、２５〜３０ｋｇ程度のワークを、その加工中や修理、洗浄中等において一時的に吊り上げて保持し、あるいは、移動させたりする場合に用いるのに好適な、構造簡易で操作性の良い重量ワーク吊持装置の出現が望まれていた。
【先行技術文献】
【特許文献】
【０００５】
【特許文献１】特開２００１−１０７７７号公報
【特許文献２】特開平１１−２４４５４６号公報
【発明の概要】
【発明が解決しようとする課題】
【０００６】
本発明は上記要望に応えるためになされたもので、例えば、２５〜３０ｋｇ程度のワークを、その加工中や修理、洗浄中等において一時的に吊り上げて保持し、あるいは、移動させたりする場合に用いるのに好適な、構造簡易で操作性が良く、しかも、低コストにて導入し得る重量ワーク吊持装置を提供することを課題とする。
【課題を解決するための手段】
【０００７】
上記課題を解決するための請求項１に記載の発明は、ベース上に立設されたポストと、前記ポストの上端部において軸支されてシーソー運動するシ−ソーアームと、前記シーソーアームの一半部上に設置されるバランスウエイトを駆動するための直動シリンダーである駆動用シリンダーと、前記シーソーアームの他半部上に敷設されるレールと、前記レール上に配置されて前記バランスウエイト駆動手段によって前記レール上を進退駆動されるバランスウエイトと、前記シーソーアームの前記駆動用シリンダー設置側端部に軸支される吊持手段とから成り、前記ポストは、上部に前記シーソーアームの回動端を規制する左右一対のストッパーを備え、更に前記シーソーアームの前記レール敷設側端部に、前記駆動用シリンダーよりも大径で高出力の受けシリンダーが配設され、前記受シリンダーは前記駆動用シリンダーによって押送されて前記レール上を移動してくる前記バランスウエイトを受け、前記受シリンダーが縮動作をすることにより前記バランスウエイトが前記駆動用シリンダーによって更に押送されて前記シーソーアームの重量バランスの支点を越えることにより、前記吊持手段によるワークの吊り上げが可能となることを特徴とする重量ワーク吊持装置である。
【０００８】
一実施形態においては、前記吊持手段は、上端が前記シーソーアームの前記駆動用シリンダー設置側端部に軸支され、下端に吊持用フックが備え付けられた吊持アームを備えて成るものとされる。
【０００９】
また、一実施形態においては、前記ベースは移動可能にされ、及び／又は、前記ポストは回動可能にされる。
【発明の効果】
【００１０】
本発明は上述したとおりであって、本発明に係る重量ワーク吊持装置は、構成簡易であって低コストにて提供でき、設置にスペースを取らないために小工場等においても手軽に導入することができ、簡単な操作で重量の嵩むワークを一時的に吊持したり、移動させたりすることが容易なる効果がある。
【図面の簡単な説明】
【００１１】
【図１】本発明に係る重量ワーク吊持装置の一実施形態の構成を示す正面図である。
【図２】本発明に係る重量ワーク吊持装置の一実施形態の構成を示す側面図である。
【図３】本発明に係る重量ワーク吊持装置の一実施形態の要部を示す斜視図である。
【図４】本発明に係る重量ワーク吊持装置の動作を説明する簡略図である。
【発明を実施するための最良の形態】
【００１２】
以下に、本発明を実施するための最良の形態について、図面に依拠して説明する。図１は、本発明に係る重量ワーク吊持装置の実施例を示す正面図、図２はその側面図であり、該装置は、ベース１上に立設されたポスト２の上端部において軸支され、シーソー運動をするシーソーアーム３を備える。ベース１は、各種加工機械に固定されることがあり、また、キャスターを備え付ける等によって移動可能にされ、あるいは、揺動モータを設置する等によって旋回可能にされることもある。
【００１３】
シーソーアーム３を軸支するポスト２の上端部には、上方に開くコ字状の軸支部４が設けられ、その内側に、やはり上方に開くコ字状のアーム取付部材５が配置される。アーム取付部材５は、その上部が、支持軸６を介して軸支部４の上部に揺動自在に軸支される。シーソーアーム３は、このアーム取付部材５の内底部に固定されることにより、アーム取付部材５と一体となって若干揺動しつつ、支持軸６を軸にシーソー運動する。なお、シーソーアーム３は、アーム取付部材５を介することなく、直接支持軸６によって軸支させることもできる。
【００１４】
シーソーアーム３の一半部上には、バランスウエイト駆動手段としての直動型の駆動用シリンダー７（通例エアシリンダー）が設置される。また、シーソーアーム３の他半部上にはレール８が敷設され、レール８に跨るようにバランスウエイト９が配置され、バランスウエイト９は、レール８に沿って移動可能にされる。
【００１５】
このバランスウエイト９の端面に駆動用シリンダー７のロッド７ａ先端が固定され、以てバランスウエイト９は、駆動用シリンダー７のロッド７ａの進退動作に伴ってレール８上を前進し、あるいは、後退するように動作して、後述するように、ワーク３０を上昇させ、あるいは、下降させる。
【００１６】
好ましい実施形態においては、シーソーアーム３のレール８敷設側端部に、駆動用シリンダー７よりも大径で高出力の受けシリンダー１１（通例エアシリンダー）が配設される。この受けシリンダー１１は、レール８上を移動してくるバランスウエイト９を受けるストッパーとしての役割りを果たすもので、そのロッド１１ａが伸状態にあるときにその先端部でバランスウエイト９を受け止める（図４（Ｂ）参照）。
【００１７】
駆動用シリンダー７は、受けシリンダー１１のロッド１１ａがバランスウエイト９を受け止めた後にも、バランスウエイト９を押し続ける。但し、受けシリンダー１１が駆動用シリンダー７よりも大径且つ高出力であって、そのバランスウエイト９を受け止める力が駆動用シリンダー７による押圧力を上回るため、バランスウエイト９は、ロッド７ａとロッド１１ａとに挟まれ、受けシリンダー１１が後述する操作で退動作をするまで、その静止状態を維持する（図４（Ｂ）参照）。そして、受けシリンダー１１が退動作をするに伴い、駆動用シリンダー７が伸動作をし、更にバランスウエイト９を押圧して移動させる（図４（Ｃ）参照）。
【００１８】
削除
【００１９】
削除
【００２０】
ワーク３０の吊持手段は、上端部がシーソーアーム３の端部に枢支される吊持アーム１２と、吊持アーム１２の下部に配置される操作部１３と、操作部１３の下側に設置されるフック１４とから成る。操作部１３は、駆動用シリンダー７を作動させるためのスイッチ１５と、受けシリンダー１１を操作するための操作レバー１６とを含む。なお、図中１７、１８は、シーソーアーム３の回動端を規制するストッパーである。
【００２１】
図示した上記実施形態の作用について説明すると、先ず、図４（Ａ）に示すワーク３０のない状態において、シーソーアーム３の左右のモーメントが釣り合った状態から駆動用シリンダー７が縮動作すると、バランスウエイト９が駆動用シリンダー７側に引かれるため、シーソーアーム３にかかる荷重は、駆動用シリンダー７設置側に偏る。そのため、シーソーアーム３の左右のモーメントの釣り合いが崩れ、シーソーアーム３は、駆動用シリンダー７設置側が下がった状態となる。
【００２２】
その状態においてフック１４にワーク３０を掛け、スイッチ１３を入れて駆動用シリンダー７を作動させると、バランスウエイト９がレール８上を移動し、やがてバランスウエイト９がシーソーアーム３の重量バランスの支点を越える。そして、シーソーアーム３のレール８設置側のモーメントが勝るに至ると、シーソーアーム３が徐々に図１において反時計回りに回動し、ワ−ク３０が吊り上げられる。ワーク３０を降ろす場合は、逆の操作を行えばよい。
【００２３】
なお、受けシリンダー１１がある場合は、通例、ワーク３０の吊り上げが開始される前にバランスウエイト９が受けシリンダー１１のロッド１１ａに受け止められ（図４（Ｂ）の状態）、その後、操作レバー１６の操作により受けシリンダー１１に縮動作をさせると、バランスウエイト９が駆動用シリンダー７によって押圧されることにより（図４（Ｃ）の状態）、シーソーアーム３の重量バランスが崩れる結果、シーソーアーム３が反時計回りに回動してワーク３０を吊り上げる。ワーク３０の吊り上げ高さは、受けシリンダー１１のロッド１１ａの伸縮度合いによって調整することができる。
【００２４】
このように、本発明に係る装置は簡易な構成であって、ワーク３０をフック１６に掛けた後、単に駆動用シリンダー７及び受けシリンダー１１を作動させる等の簡単な操作で、ワーク３０を任意の高さに吊り上げ、その状態を維持させることができる。また、本装置（ベース１及び/又はポスト２）が可動の場合には、ワ−ク３０を任意の位置に移動させることができる。
【００２５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２６】
１      ベース
２      ポスト
３      シーソーアーム
４      軸支部
５      アーム取付部材
６      支持軸
７      駆動用シリンダー
７ａ    ロッド
８      レール
９      バランスウエイト
１１    受けシリンダー    
１１ａ  ロッド
１２    吊持アーム
１３    操作部
１４    フック
１５    スイッチ
１６    操作レバー
１７    ストッパー
１８    ストッパー
【図１】
0005643494.tif 000002
【図２】
0005643494.tif 000003
【図３】
0005643494.tif 000004
【図４】
0005643494.tif 000005